(57)【特許請求の範囲】
【請求項１】
外部装置に実行させる処理の条件を視覚的に示すアイコンを選択する操作を受け付ける受付手段と、
自装置が存在している通信エリアの識別情報を取得する取得手段と、
前記条件に応じた処理の実行を指示する指示データを前記外部装置へ送信する送信手段と、
前記操作が受け付けられたときの前記識別情報が、前回に前記操作が受け付けられたときと異なる場合には前記指示データの送信の可否を利用者に問い合わせる問合せ手段と
を備える端末装置。
【請求項２】
外部装置に実行させる処理の条件を視覚的に示すアイコンを選択する操作を受け付ける受付手段と、
自装置の位置に応じて変化する自装置に割り当てられた通信アドレスを取得する取得手段と、
前記条件に応じた処理の実行を指示する指示データを前記外部装置へ送信する送信手段と、
前記操作が受け付けられたときの前記通信アドレスが、前回に前記操作が受け付けられたときと異なる場合には前記指示データの送信の可否を利用者に問い合わせる問合せ手段と
を備える端末装置。
【請求項３】
前記受付手段は、前記条件の設定を受け付け、
前記送信手段が送信した前記指示データを、前記条件の履歴情報として登録する登録手段を備え、
前記アイコンは、前記履歴情報として登録された前記条件に一意に関連付けられたオブジェクト画像からなる
ことを特徴とする請求項１または請求項２に記載の端末装置。
【請求項４】
端末装置のコンピュータを、
外部装置に実行させる処理の条件を視覚的に示すアイコンを選択する操作を受け付ける受付手段と、
前記端末装置が存在している通信エリアの識別情報を取得する取得手段と、
前記条件に応じた処理の実行を指示する指示データを前記外部装置へ送信する送信手段と、
前記操作が受け付けられたときの前記識別情報が、前回に前記操作が受け付けられたときと異なる場合には前記指示データの送信の可否を利用者に問い合わせる問合せ手段
として機能させるためのプログラム。
【請求項５】
端末装置のコンピュータを、
外部装置に実行させる処理の条件を視覚的に示すアイコンを選択する操作を受け付ける受付手段と、
前記端末装置の位置に応じて変化する当該端末装置に割り当てられた通信アドレスを取得する取得手段と、
前記条件に応じた処理の実行を指示する指示データを前記外部装置へ送信する送信手段と、
前記操作が受け付けられたときの前記通信アドレスが、前回に前記操作が受け付けられたときと異なる場合には前記指示データの送信の可否を利用者に問い合わせる問合せ手段
として機能させるためのプログラム。
【請求項６】
端末装置と情報処理装置とを備え、
前記端末装置は、
前記情報処理装置に実行させる処理の条件を視覚的に示すアイコンを選択する操作を受け付ける受付手段と、
自装置が存在している通信エリアの識別情報を取得する取得手段と、
前記条件に応じた処理の実行を指示する指示データを前記情報処理装置へ送信する送信手段と、
前記操作が受け付けられたときの前記識別情報が、前回に前記操作が受け付けられたときと異なる場合には前記指示データの送信の可否を利用者に問い合わせる問合せ手段と
を有し、
前記情報処理装置は、
前記送信手段により送信された前記指示データを受信する受信手段と、
前記受信手段により受信された前記指示データに基づいて、前記条件に応じた処理を実行する実行手段と
を有する情報処理システム。
【請求項７】
端末装置と情報処理装置とを備え、
前記端末装置は、
前記情報処理装置に実行させる処理の条件を視覚的に示すアイコンを選択する操作を受け付ける受付手段と、
自装置の位置に応じて変化する自装置に割り当てられた通信アドレスを取得する取得手段と、
前記条件に応じた処理の実行を指示する指示データを前記情報処理装置へ送信する送信手段と、
前記操作が受け付けられたときの前記通信アドレスが、前回に前記操作が受け付けられたときと異なる場合には前記指示データの送信の可否を利用者に問い合わせる問合せ手段と
を有し、
前記情報処理装置は、
前記送信手段により送信された前記指示データを受信する受信手段と、
前記受信手段により受信された前記指示データに基づいて、前記条件に応じた処理を実行する実行手段と
を有する情報処理システム。
【発明の詳細な説明】
【技術分野】
【０００１】
本発明は、指示装置、プログラム及び情報処理システムに関する。
【背景技術】
【０００２】
特許文献１は、操作者が携帯端末装置を用いて画像処理装置を遠隔操作する画像処理システムにおいて、携帯端末装置が、画像処理装置から転送されてきた表示用情報に基づいてアイコン等を含む操作画面を表示することを開示している。
【先行技術文献】
【特許文献】
【０００３】
【特許文献１】特開２００５−４５３０８号公報
【発明の概要】
【発明が解決しようとする課題】
【０００４】
本発明の目的は、情報処理の処理条件を指定する際の利用者の操作負担を軽減することである。
【課題を解決するための手段】
【０００５】
本発明の請求項１に係る端末装置は、外部装置に実行させる処理の条件を視覚的に示すアイコンを選択する操作を受け付ける受付手段と、自装置が存在している通信エリアの識別情報を取得する取得手段と、前記条件に応じた処理の実行を指示する指示データを前記外部装置へ送信する送信手段と、前記操作が受け付けられたときの前記識別情報が、前回に前記操作が受け付けられたときと異なる場合には前記指示データの送信の可否を利用者に問い合わせる問合せ手段とを備える。
【０００６】
本発明の請求項２に係る端末装置は、外部装置に実行させる処理の条件を視覚的に示すアイコンを選択する操作を受け付ける受付手段と、自装置の位置に応じて変化する自装置に割り当てられた通信アドレスを取得する取得手段と、前記条件に応じた処理の実行を指示する指示データを前記外部装置へ送信する送信手段と、前記操作が受け付けられたときの前記通信アドレスが、前回に前記操作が受け付けられたときと異なる場合には前記指示データの送信の可否を利用者に問い合わせる問合せ手段とを備える。
【０００７】
本発明の請求項３に係る端末装置は、請求項１または請求項２に係る構成において、前記受付手段は、前記条件の設定を受け付け、前記送信手段が送信した前記指示データを、前記条件の履歴情報として登録する登録手段を備え、前記アイコンは、前記履歴情報として登録された前記条件に一意に関連付けられたオブジェクト画像からなることを特徴とする。
【０００８】
本発明の請求項４に係るプログラムは、端末装置のコンピュータを、外部装置に実行させる処理の条件を視覚的に示すアイコンを選択する操作を受け付ける受付手段と、前記端末装置が存在している通信エリアの識別情報を取得する取得手段と、前記条件に応じた処理の実行を指示する指示データを前記外部装置へ送信する送信手段と、前記操作が受け付けられたときの前記識別情報が、前回に前記操作が受け付けられたときと異なる場合には前記指示データの送信の可否を利用者に問い合わせる問合せ手段として機能させるためのプログラムである。
【０００９】
本発明の請求項５に係るプログラムは、端末装置のコンピュータを、外部装置に実行させる処理の条件を視覚的に示すアイコンを選択する操作を受け付ける受付手段と、前記端末装置の位置に応じて変化する当該端末装置に割り当てられた通信アドレスを取得する取得手段と、前記条件に応じた処理の実行を指示する指示データを前記外部装置へ送信する送信手段と、前記操作が受け付けられたときの前記通信アドレスが、前回に前記操作が受け付けられたときと異なる場合には前記指示データの送信の可否を利用者に問い合わせる問合せ手段として機能させるためのプログラムである。
【００１０】
本発明の請求項６に係る情報処理システムは、端末装置と情報処理装置とを備え、前記端末装置は、前記情報処理装置に実行させる処理の条件を視覚的に示すアイコンを選択する操作を受け付ける受付手段と、自装置が存在している通信エリアの識別情報を取得する取得手段と、前記条件に応じた処理の実行を指示する指示データを前記情報処理装置へ送信する送信手段と、前記操作が受け付けられたときの前記識別情報が、前回に前記操作が受け付けられたときと異なる場合には前記指示データの送信の可否を利用者に問い合わせる問合せ手段とを有し、前記情報処理装置は、前記送信手段により送信された前記指示データを受信する受信手段と、前記受信手段により受信された前記指示データに基づいて、前記条件に応じた処理を実行する実行手段とを有する。
【００１１】
本発明の請求項７に係る情報処理システムは、端末装置と情報処理装置とを備え、前記端末装置は、前記情報処理装置に実行させる処理の条件を視覚的に示すアイコンを選択する操作を受け付ける受付手段と、自装置の位置に応じて変化する自装置に割り当てられた通信アドレスを取得する取得手段と、前記条件に応じた処理の実行を指示する指示データを前記情報処理装置へ送信する送信手段と、前記操作が受け付けられたときの前記通信アドレスが、前回に前記操作が受け付けられたときと異なる場合には前記指示データの送信の可否を利用者に問い合わせる問合せ手段とを有し、前記情報処理装置は、前記送信手段により送信された前記指示データを受信する受信手段と、前記受信手段により受信された前記指示データに基づいて、前記条件に応じた処理を実行する実行手段とを有する。
【発明の効果】
【００１４】
請求項１，２，４，５，６，７に係る発明によれば、アイコンを選択する操作によって処理の条件を指定する場合に、利用者の意図しない装置で情報処理が実行される可能性があることを利用者に知らせることができる。
請求項３に係る発明によれば、過去に送信した指示データによって指示された処理の条件を、アイコンを選択する操作によって指定することができる。
【図面の簡単な説明】
【００１５】
【図１】本発明の実施形態に係る情報処理システムの全体構成を示す図。
【図２】同実施形態に係る画像形成装置のハードウェア構成を示すブロック図。
【図３】同実施形態に係る端末装置のハードウェア構成を示すブロック図。
【図４】同実施形態に係る登録条件ＤＢの構成例を示す図。
【図５】同実施形態に係る端末装置で表示される操作画面を示す図。
【図６】同実施形態に係る端末装置及び画像形成装置の機能構成を示すブロック図。
【図７】同実施形態に係る情報処理システムでの処理の流れを示すシーケンス図。
【図８】同実施形態に係る問合せ処理の流れを示すフローチャート。
【図９】同実施形態に係る端末装置で表示される操作画面を示す図。
【図１０】同実施形態に係る処理条件の登録処理の流れを示すフローチャート。
【図１１】同実施形態に係る登録処理時の画面の遷移を説明する図。
【図１２】同実施形態に係る登録処理時の画面の遷移を説明する図。
【図１３】同実施形態に係る端末装置で表示されるお気に入り画面を示す図。
【図１４】同実施形態に係るオブジェクト画像と処理パラメータとの関係の説明図。
【図１５】同実施形態に係るオブジェクト画像を構成する表示要素を説明する図。
【図１６】同実施形態に係る情報処理システムでの処理の流れを示すシーケンス図。
【図１７】本発明の変形例に係る端末装置で表示されるお気に入り画面を示す図。
【図１８】同変形例に係るお気に入り画面の遷移を説明する図。
【図１９】同変形例に係るお気に入り画面の他の例を説明する図。
【図２０】同変形例に係る登録条件ＤＢの構成例を示す図。
【発明を実施するための形態】
【００１６】
本発明の実施の形態について図面を参照しつつ説明する。以下、本発明の指示装置を、画像形成装置２０に対して情報処理の実行を指示する端末装置１０に適用した場合を説明する。
図１は、情報処理システム１の全体構成を示す図である。図１に示すように、情報処理システム１は、端末装置１０と、複数の画像形成装置２０とを備える。端末装置１０及び複数の画像形成装置２０の各々は、通信回線１００に接続する。通信回線１００は、例えば、無線ＬＡＮ（Local Area Network）やＷｉ−Ｆｉ（登録商標）ネットワークを含む通信回線である。
なお、図１には端末装置１０を１つだけ図示しているが、２つ以上存在していてもよい。また、図１には画像形成装置２０を３つ図示しているが、２つ以下であってもよいし、４つ以上存在していてもよい。
【００１７】
端末装置１０は、画像形成装置２０に対して、通信回線１００を介して情報処理の実行を指示する。端末装置１０は、コピー処理、スキャン処理及びファクシミリ送信処理等の情報処理の実行を指示する。端末装置１０は、例えばスマートフォンである。画像形成装置２０は、本発明の情報処理装置の一例であり、コピー処理、スキャン処理及びファクシミリ送信処理等の情報処理を実行する。画像形成装置２０は、利用者によって端末装置１０が操作されて指示された情報処理を実行するとともに、利用者によって直接に操作されて指示された情報処理を実行する機能を有する。
なお、端末装置１０は、携帯電話端末やタブレット端末、ノート型パソコン、ＰＤＡ（Personal Digital Assistant）、携帯型ゲーム機等の別の端末装置であってもよい。また、図１に破線で示すように、端末装置１０と画像形成装置２０とは、例えば無線ＬＡＮにおけるアドホック・モード等を利用して直接に通信してもよい。
【００１８】
図２は、画像形成装置２０のハードウェア構成を示すブロック図である。図２に示すように、画像形成装置２０は、制御部２１と、操作部２２と、通信部２３と、表示部２４と、画像読取部２５と、画像形成部２６と、記憶部２７とを備える。
制御部２１は、ＣＰＵ（Central Processing Unit）及びＡＳＩＣ（Application Specific Integrated Circuit）を含む演算装置やメモリを備える制御装置であり、画像形成装置２０の各部を制御する。操作部２２は、利用者により行われた操作を受け付ける操作装置であり、例えば、表示部２４の表示面に重ねて設けられたタッチスクリーンや物理キーを有する。通信部２３は、通信回線１００や図示せぬ電話回線、インターネットに接続して通信するためのインタフェースである。例えば、通信部２３は、通信回線１００経由で端末装置１０へデータを送信したり、通信回線１００経由で画像形成装置２０からデータを受信したりする。表示部２４は、例えば液晶ディスプレイであり、画像を表示する表示面に各種の画像（画面）を表示して、利用者に情報を報知する。画像読取部２５は、例えばスキャナであり、原稿の画像を読み取って、読み取った画像を表す画像データを制御部２１に供給する。画像形成部２６は、例えば電子写真プロセスにより、用紙等のシートに画像を形成するプリンタである。記憶部２７は、例えばハードディスク装置を有する記憶装置であり、制御部２１により実行される制御プログラムを記憶する。
【００１９】
以上の構成を有する画像形成装置２０において、コピー処理が実行されるときには、制御部２１は、画像読取部２５に原稿の画像を読み取ら取らせる。そして、制御部２１は、画像読取部２５によって生成された画像データに応じた画像を、画像形成部２６によりシート上に形成させる。画像形成装置２０においてスキャン処理が実行されるときには、制御部２１は、画像読取部２５によって生成された画像データを記憶部２７に記憶させるか、又は、通信部２３によって送信する。後者の場合、制御部２１は、情報処理の実行を指示した端末装置１０に対して、スキャン結果である画像データを送信してもよい。画像形成装置２０においてファクシミリ送信処理が実行されるときには、制御部２１は、画像読取部２５によって生成された画像データを、通信部２３により図示せぬ電話回線を介してファクシミリ送信する。
【００２０】
図３は、端末装置１０のハードウェア構成を示すブロック図である。図３に示すように、端末装置１０は、制御部１１と、操作部１２と、通信部１３と、表示部１４と、記憶部１５とを備える。
制御部１１は、ＣＰＵ、ＲＯＭ（Read Only Memory）及びＲＡＭ（Random Access Memory）を有するマイクロコンピュータを備える。ＣＰＵは、ＲＯＭや記憶部１５に記憶されたプログラムをＲＡＭに読み出して実行することにより、端末装置１０の各部を制御する。操作部１２は、利用者により行われた操作を受け付ける操作装置であり、例えば、表示部１４の表示面に重ねて設けられたタッチスクリーンや物理キーを有する。通信部１３は、通信回線１００や図示せぬ移動通信網等の通信網に接続して通信するためのインタフェースを有する。例えば、通信部１３は、通信回線１００経由で画像形成装置２０にデータを送信したり、通信回線１００経由で画像形成装置２０からデータを受信したりする。表示部１４は、例えば液晶ディスプレイであり、画像を表示する表示面に各種の画像（画面）を表示して、利用者に情報を報知する。
【００２１】
記憶部１５は、例えばＥＥＰＲＯＭ（Electronically Erasable and Programmable ROM）やフラッシュメモリ等の記憶装置を備え、例えば、操作用アプリ１５１、登録条件ＤＢ（Data Base）１５２、ＳＳＩＤ（Service Set Identifier）１５３及びＩＰアドレス１５４を記憶する。操作用アプリ１５１は、例えば、端末装置１０のＯＳ（Operating System）上で動作するアプリケーションプログラムである。制御部１１は、操作用アプリ１５１を実行することにより、画像形成装置２０に対して情報処理の実行を指示する機能を実現する。登録条件ＤＢ１５２は、画像形成装置２０で実行される情報処理の処理条件を格納したデータベースである。端末装置１０は、利用者により一度指定された処理条件を、以後も利用することを目的として、この処理条件を登録条件ＤＢ１５２に登録する機能を有する。
【００２２】
図４は、登録条件ＤＢ１５２の構成例を示す図である。図４に示すように、登録条件ＤＢ１５２は、処理条件と登録名とを対応付けたデータテーブルである。処理条件は、情報処理に用いられる複数の処理パラメータを含む。ここでは、コピー処理の処理パラメータを例に挙げて説明する。図４に示すように、コピー処理の処理パラメータとして、本実施形態では、「カラーモード」、「用紙選択」、「まとめて１枚」、「両面／片面選択」及び「ステープル」の５種類を挙げる。
【００２３】
「カラーモード」は、画像形成部２６が画像を形成するときに使用するトナーの種類の条件である。カラーモードの処理パラメータとしては、例えば、画像形成部２６が有する全ての種類のトナーを使用する「フルカラー」と、ブラックのトナーのみを使用する「白黒」と、原稿に使用されている色に応じて制御部２１が使用するトナーを判断する「自動」とがある。「用紙選択」は、画像形成部２６が画像を形成するときに使用する用紙のサイズの条件である。用紙選択の処理パラメータとしては、例えば、Ａ４サイズの用紙を使用する「Ａ４」、Ａ３サイズの用紙を使用する「Ａ３」、及び、原稿のサイズに応じて制御部１１が用紙のサイズを判断する「自動」等がある。「まとめて１枚」は、１枚の用紙に画像を形成する画像データのページ数の条件である。まとめて１枚の処理パラメータとしては、例えば、複数ページの画像を１枚にまとめない（つまり画像データ１ページにつき１枚の用紙を使用する）ことを示す「しない」や、２ページ分の画像を１枚にまとめる「２アップ」等がある。「両面／片面選択」は、画像読取部２５が読み取る原稿面と画像形成部２６が画像を形成するシート面との条件である。両面／片面選択の処理パラメータとしては、例えば、原稿の片面を読み取ってシートの片面に画像を形成する「片面⇒片面」や、原稿の片面を読み取ってシートの両面に画像を形成する「片面⇒両面」と、原稿の両面を読み取ってシートの両面に画像を形成する「両面⇒両面」等がある。「ステープル」は、画像読取部２５による画像形成後のシートのステープル留めの条件である。ステープルの処理パラメータとしては、例えば、ステープル留めをする「する」と、ステープル留めをしない「しない」とがある。
【００２４】
登録名は、登録条件ＤＢ１５２に登録された処理条件の名称を示す。登録名は、利用者により設定される名称であり、例えば、処理条件の内容を利用者が把握しやすい名称に設定される。この名称としては、処理条件の概要を表した名称や、この処理条件を使用する目的や用途を表した名称がある。
図４に示す登録条件ＤＢ１５２の構成例では、４つの処理条件が登録されているが、利用者が処理条件の登録を行う前は、登録条件ＤＢ１５２の各フィールドはブランクである。
【００２５】
記憶部１５に記憶されているＳＳＩＤ１５３は、端末装置１０がＷｉ−Ｆｉネットワークを利用して通信するために現在使用しているＳＳＩＤと、端末装置１０が前回に画像形成装置２０に情報処理の実行を指示したときに使用していたＳＳＩＤとを含む。ＳＳＩＤは、端末装置１０があるＷｉ−Ｆｉエリア（通信エリア）に応じて変化する識別情報である。ＩＰアドレス１５４は、端末装置１０に現在割り当てられているＩＰアドレスと、端末装置１０が前回に画像形成装置２０に情報処理の実行を指示したときに割り当てられていたＩＰアドレスとを含む。ＩＰアドレスは、端末装置１０がどこのアクセスポイントに収容されているかを示す通信アドレスである。すなわち、ＳＳＩＤ１５３及びＩＰアドレス１５４の各々は、端末装置１０がある場所によって変化する情報である。
【００２６】
以上の構成を有する端末装置１０は、画像形成装置２０に情報処理の実行を指示するために、利用者からの操作を受け付ける操作画面を表示する。
図５は、端末装置１０で表示されるコピー処理に対応した操作画面を示す図である。図５（ａ）は、端末装置１０で表示される操作画面Ｒ１を示す図である。図５（ａ）に示すように、操作画面Ｒ１は、画面上から下方向に向かって配列した、機器設定欄Ｍａと、指定欄Ｈ１，Ｈ２，Ｈ３，Ｈ４及びＨ５とを含む。操作画面Ｒ１で、機器設定欄Ｍａは、端末装置１０が情報処理の実行を指示するための指示データの送信先の機器を設定するための欄である。図５（ａ）に示す例では、「Ｐｒｉｎｔｅｒ  Ｃ１２３４」で識別される画像形成装置２０が標準使用の機器に設定されている。指定欄Ｈ１からＨ５の各々では、コピー処理に用いられる処理パラメータの名称と、現在選択されている処理パラメータの名称とが関連付けられている。指定欄Ｈ１は「カラーモード」に対応し、指定欄Ｈ２は「用紙選択」に対応し、指定欄Ｈ３は「まとめて１枚」に対応し、指定欄Ｈ４は「両面／片面選択」に対応し、指定欄Ｈ５は「ステープル」に対応する。
【００２７】
端末装置１０の利用者は、処理パラメータを指定する場合には、操作画面Ｒ１の表示中に、指定欄の位置に指を接触させる操作を行う。例えば、利用者が指定欄Ｈ１に指を触れさせた場合、端末装置１０は、図５（ａ）に示す操作画面Ｒ１から、図５（ｂ）に示す操作画面Ｒ２に遷移させる。操作画面Ｒ２は、処理条件として「カラーモード」の処理パラメータを指定するための画面である。図５（ｂ）に示すように、操作画面Ｒ２は、画面上から下方向に向かって配列した指定欄Ｈ１１，Ｈ１２，Ｈ１３を含む。指定欄Ｈ１１，Ｈ１２，Ｈ１３の各々は、処理パラメータの選択肢に対応している。具体的には、指定欄Ｈ１１は、処理パラメータとして「フルカラー」に対応し、指定欄Ｈ１２は、処理パラメータとして「白黒」に対応し、指定欄Ｈ１３は、処理パラメータとして「自動」に対応する。図５（ｂ）に示す例では、処理パラメータが「フルカラー」に選択されていることを示すチェックマークが、指定欄Ｈ１１に付されている。処理パラメータを変更する場合には、利用者は、指定欄Ｈ１１からＨ１３のうち、自身が希望する処理パラメータに対応する指定欄に指を触れさせる。
【００２８】
端末装置１０は、「カラーモード」以外の処理条件の処理パラメータを指定する場合にも、操作画面Ｒ１に含まれる指定欄が利用者により選択されると、処理パラメータの選択肢を含む画面に遷移させて、処理パラメータを指定する操作を受け付ける。各処理条件に対応する操作画面やユーザが行うべき操作等については、「カラーモード」についての説明から自明であるから、説明を省略する。
【００２９】
端末装置１０の利用者は、処理パラメータを設定し終えると、「スタート」と記されたソフトボタンＢ２に指を触れさせる。端末装置１０は、ソフトボタンＢ２が利用者により操作されると、設定された処理条件でコピー処理を実行するように、通信回線１００を介して画像形成装置２０に指示する。
【００３０】
また、端末装置１０は、「お気に入りに追加」と記されたソフトボタンＢ１が利用者により選択された場合に、利用者により指定された処理条件を登録する。例えば、端末装置１０は、操作画面Ｒ１で表示されている複数の処理パラメータを含む処理条件を、登録条件ＤＢ１５２に新たなレコードを作成して登録する登録処理を行う。端末装置１０は、登録条件ＤＢ１５２に登録された処理条件を、利用者が直接に処理条件を指定する場合に比べて、少ない操作量で指定しうるように構成される。
【００３１】
図６は、端末装置１０及び画像形成装置２０の機能構成を示すブロック図である。図６に示すように、端末装置１０の制御部１１は、操作用アプリ１５１を実行することにより、受付手段１１１と、記憶制御手段１１２と、表示制御手段１１３と、指示手段１１４と、取得手段１１５と、問合せ手段１１６とに相当する機能を実現する。画像形成装置２０は、制御プログラムを実行することにより、受信手段２０１と、実行手段２０２とに相当する機能を実現する。
【００３２】
端末装置１０の受付手段１１１は、利用者により行われた操作を受け付ける。ここにおいて、受付手段１１１は、操作部１２から操作信号を取得して、この操作信号が示す操作を受け付ける。
記憶制御手段１１２は、情報処理の処理条件を指定する操作を受付手段１１１が受け付けると、指定された処理条件を記憶部１５に記憶させる。ここにおいて、記憶制御手段１１２は、利用者により操作画面Ｒ１，Ｒ２等を用いて指定された処理パラメータを含む処理条件を、登録条件ＤＢ１５２に新たに書き込んで登録する。
【００３３】
表示制御手段１１３は、登録条件ＤＢ１５２に登録された処理条件毎に関連付けられたオブジェクト画像（例えばアイコン画像）を、表示部１４に表示させる。より具体的には、表示制御手段１１３は、処理条件に含まれる複数の処理パラメータに一意に関連付けられたオブジェクト画像を、表示部１４に表示させる。ここにおいて、表示制御手段１１３は、処理条件に含まれる複数のパラメータの組み合わせ毎に、オブジェクト画像を異ならせる。
【００３４】
指示手段１１４は、表示部１４に表示されたオブジェクト画像を選択する操作を受付手段１１１が受け付けた場合に、そのオブジェクト画像に対応する処理条件に基づいて、情報処理の実行を指示する指示データを出力する。指示手段１１４は、登録条件ＤＢ１５２に登録された処理条件を取得する。そして、指示手段１１４は、通信部１３を用いて、通信回線１００経由で指示データを画像形成装置２０へ送信出力する。この指示データは、例えば、実行を指示する情報処理の種類及び情報処理に用いられる処理パラメータを含む。
【００３５】
画像形成装置２０の受信手段２０１は、指示手段１１４により送信された指示データを受信する。実行手段２０２は、受信手段２０１により受信された指示データに基づいて情報処理を実行する。実行手段２０２は、実行が指示された情報処理の種類及び処理パラメータを指示データに基づいて特定して、情報処理を実行する。
【００３６】
端末装置１０の取得手段１１５は、ＳＳＩＤ１５３及びＩＰアドレス１５４を記憶部１５から読み出して、これらを取得する。
問合せ手段１１６は、ＳＳＩＤ１５３及びＩＰアドレス１５４に基づいて、オブジェクト画像の選択操作が受け付けられたときのＳＳＩＤ又はＩＰアドレスが、前回に選択操作が受け付けられたときと異なる場合には、画像形成装置２０への指示データの出力の可否を利用者に問い合わせる。
指示手段１１４は、問合せ手段１１６による問合せに対して、指示データの出力を許可することを指示する操作を受付手段１１１が受け付けた場合には、指示データを出力する。
【００３７】
図７は、端末装置１０がコピー処理の実行を画像形成装置２０に指示する場合の情報処理システム１での処理の流れを示すシーケンス図である。以下の動作の開始時において、登録条件ＤＢ１５２に処理条件は未だ登録されていないものとする。
まず、端末装置１０の制御部１１は、利用者により操作部１２が操作されることにより、処理条件を指定する操作を受け付ける（ステップＳＡ１）。ここでは、制御部１１は、処理条件に含まれる複数の処理パラメータを直接に指定する操作を受け付ける。ここでは、処理パラメータの指定後の操作画面が、図５に示す操作画面Ｒ１であるとする。
【００３８】
次に、制御部１１は、問合せ処理を実行する（ステップＳＡ２）。問合せ処理は、特定の条件を満たした場合に、端末装置１０の利用者に対して、情報処理の実行を画像形成装置２０に指示するかどうかを問い合わせる処理である。制御部１１は、問合せ処理の実行後、利用者により情報処理の実行を画像形成装置２０に指示すると判断した場合には、ステップＳＡ１の処理で指定された処理条件で情報処理を実行するように、指示データを画像形成装置２０へ送信する（ステップＳＡ３）。この指示データの送信先は、機器設定欄Ｍａに設定された画像形成装置２０である。指示データは、例えば送信元の端末装置１０のＩＰアドレス等の他の情報を含んでいてもよい。
【００３９】
画像形成装置２０の制御部２１は、通信部２３により指示データを受信すると（ステップＳＡ４）、受信した指示データに基づいて、実行が指示された情報処理を実行する（ステップＳＡ５）。ここにおいて、制御部２１は、指示データによって指示された処理条件に従ってコピー処理を実行するように、画像読取部２５及び画像形成部２６を制御する。
【００４０】
端末装置１０の制御部１１は、ステップＳＡ３の処理で指示データを送信した後、ステップＳＡ１の処理で受け付けた処理条件、すなわち、ステップＳＡ３の処理で送信した指示データで指示された処理条件を、記憶部１５に記憶させる（ステップＳＡ６）。ここでは、制御部１１は、登録条件ＤＢ１５２ではなく、指示データの送信履歴に処理条件を含ませて記憶部１５に記憶させる。
なお、制御部１１は、指示データに従って画像形成装置２０により情報処理が実行されない場合であっても、指示データの送信履歴を記憶部１５に記憶させてもよいし、画像形成装置２０により情報処理が実行された場合に限り、指示データの送信履歴を記憶部１５に記憶させてもよい。
【００４１】
図８は、ステップＳＡ２の問合せ処理の流れを示すフローチャートである。
端末装置１０の制御部１１は、記憶部１５に記憶されたＳＳＩＤ１５３及びＩＰアドレス１５４を読み出して、これらを取得する（ステップＳＡ２１）。次に、制御部１１は、取得したＳＳＩＤ１５３に基づいて、通信回線１００のＷｉ−Ｆｉネットワークに接続するために現在使用しているＳＳＩＤと、前回の情報処理の指示時に使用していたＳＳＩＤとが一致するかどうかを判断する（ステップＳＡ２２）。制御部１１は、ステップＳＡ２２の処理で「ＹＥＳ」と判断した場合、取得したＩＰアドレス１５４に基づいて、端末装置１０に現在割り当てられているＩＰアドレスと、前回の情報処理の指示時に割り当てられていたＩＰアドレスとが一致するかどうかを判断する（ステップＳＡ２３）。制御部１１は、ステップＳＡ２３の処理で「ＹＥＳ」と判断した場合には、問合せ処理を終了する。この場合、制御部１１は、ステップＳＡ３の処理に進んで指示データを送信する。
【００４２】
ステップＳＡ２１又はＳＡ２２で「ＮＯ」と判断した場合、すなわち、現在使用しているＳＳＩＤ又はＩＰアドレスが、前回の情報処理の指示時と異なる場合には、制御部１１は、問合せ画面を表示部２４に表示させる（ステップＳＡ２４）。
図９は、ステップＳＡ２４の処理で表示される問合せ画面Ｒ１０を示す図である。図９に示すように、問合せ画面Ｒ１０は、操作画面Ｒ１にダイアログボックスＤ１を重畳させた操作画面である。ダイアログボックスＤ１は、「指定した機器が近くにありません。コピーを実行しますか？実行する場合は［スタート］を、機器を指定し直す場合は［検索］を選んでください。」というメッセージと、「スタート」と記されたソフトボタンＢ１１、「検索」と記されたソフトボタンＢ１２、及び、「キャンセル」と記されたソフトボタンＢ１３を含む。
【００４３】
問合せ画面Ｒ１０を表示しているときに、制御部１１が、ソフトボタンＢ１１を選択する操作を受け付けた場合（ステップＳＡ２５；「スタート」）、問合せ処理を終了し、ステップＳＡ３の処理に進んで指示データを送信する。この場合、利用者が情報処理の実行することに了承したことから、制御部１１は、指示データを送信する。制御部１１は、ソフトボタンＢ１２を選択する操作を受け付けた場合（ステップＳＡ２５；「検索」）、近くにある画像形成装置２０を検索して利用者に選択させる（ステップＳＡ２６）。制御部１１は、例えば、自装置に割り当てられているＩＰアドレスを用いる等の周知の方法で、現在位置の近くにある画像形成装置２０を選択候補として提示し、利用者に選択させる。そして、制御部１１は、ステップＳＡ３の処理に進んで、ステップＳＡ２６の処理で選択した画像形成装置２０へ指示データを送信する。制御部１１は、ソフトボタンＢ１３を選択する操作を受け付けた場合（ステップＳＡ２５；「キャンセル」）、指示データを送信する処理をキャンセルするキャンセル処理を行う（ステップＳＡ２６）。例えば、制御部１１は、指示データを送信しないようにし、図５に示す操作画面Ｒ１の表示に戻す。
端末装置１０が現在使用中のＳＳＩＤ又はＩＰアドレスと、前回の情報処理の指示時に使用していたＳＳＩＤ又はＩＰアドレスとが異なるということは、今回と前回とで端末装置１０が異なる場所にある可能性があることを意味する。この場合、利用者が誤って前回と同じ画像形成装置２０に対して指示データを送信させる操作を行って、意図しない装置で情報処理が行われてしまうおそれがあるから、端末装置１０は、その旨を、ステップＳＡ２の問合せ処理で利用者に知らせる。
【００４４】
また、端末装置１０は、利用者が一度指定した処理条件を登録条件ＤＢ１５２を用いて登録する登録処理を行う。利用者は、例えば、今後もよく利用すると考えた処理条件を登録するための操作を行う。
図１０は、端末装置１０が実行する登録処理の流れを示すフローチャートである。図１１及び図１２は、登録処理時の画面の遷移を説明する図である。
まず、端末装置１０の制御部１１は、記憶部１５に記憶された送信履歴に基づいて履歴一覧画面を表示させる（ステップＳＢ１）。履歴一覧画面は、処理条件の送信履歴を一覧表示した画面である。図１１（ａ）に示す操作画面Ｒ１に基づいて情報処理の実行が指示されていた場合、制御部１１は、図１１（ｂ）に示す履歴一覧画面Ｒ２０を表示させる。履歴一覧画面Ｒ２０は、ここでは、指定欄Ｈ２１を含む。指定欄Ｈ２１は、オブジェクト画像Ｏｂ１と、破線枠ｎ１で囲んで示した処理条件の名称（ここでは「コピー」）と、情報処理の実行日時（ここでは2013/4/1/17:00）と、情報処理の種類（ここではコピー処理）とを含む。オブジェクト画像は、処理条件に含まれる複数の処理パラメータに一意に関連付けられた画像である。すなわち、オブジェクト画像は、処理条件に含まれる処理パラメータの組み合わせに応じて画像が異なる。ここでは、オブジェクト画像Ｏｂ１は、図１１（ａ）に示すように、複数の処理パラメータが指定された処理条件と一意に関連付けられている。処理条件の名称は、ここでは、仮の名称に設定されている。
【００４５】
次に、端末装置１０の制御部１１は、履歴一覧画面を用いて、利用者により行われる処理条件の選択操作を受け付ける（ステップＳＢ２）。ここでは、制御部１１は、履歴一覧画面に含まれる指定欄を選択する操作によって、その指定欄に対応した処理条件の選択操作を受け付ける。
【００４６】
制御部１１は、指定欄Ｈ２１の選択操作を受け付けると、図１１（ｃ）に示す履歴画面Ｒ３０に遷移させる。履歴画面は、送信履歴に含まれる処理条件の各処理パラメータを表示した画面である。履歴画面Ｒ３０に含まれる情報は、図１１（ａ）に示す操作画面Ｒ１と同じである。利用者は、この処理条件を登録する場合には、「お気に入りに追加」と記されたソフトボタンＢ１に指を触れさせる。そして、制御部１１は、履歴画面Ｒ３０から、図１１（ｄ）に示す操作画面Ｒ４０に画面を遷移させる。
【００４７】
次に、制御部１１は、処理条件の登録名を指定する操作を受け付ける（ステップＳＢ３）。処理条件の登録名は、登録条件ＤＢ１５２の登録名のフィールドに格納される情報である。制御部１１は、例えば、操作画面Ｒ４０の操作領域Ｋを用いて文字を入力する操作を受け付ける。操作領域Ｋは、ここでは、１０キーボード（テンキーボード）を意味するソフトウェアキーボードを表示する領域であるが、ＱＷＥＲＴＹ配列に対応したソフトウェアキーボードを表示する操作領域であってもよい。制御部１１は、利用によって入力された文字を文字表示領域Ｔに表示させる。図１１（ｄ）の例では、登録名が未入力である
【００４８】
図１２（ａ）に示すように、登録名として「ざっと１枚コピー」という名称が指定され、「保存」と記されたソフトボタンＢ３が利用者により選択されると、制御部１１は、処理条件及び登録名を登録条件ＤＢ１５２に登録する（ステップＳＢ４）。この登録により、登録条件ＤＢ１５２には、図４の第１行に示すレコードが作成されることとなる。なお、ここでは未だ第２行から第４行の処理条件は登録されていない。
【００４９】
制御部１１は、処理条件を登録条件ＤＢ１５２に登録すると、登録条件ＤＢ１５２に基づいて、図１２（ｂ）に示すお気に入り画面Ｒ５０を表示させる。お気に入り画面は、登録条件ＤＢ１５２に登録された処理条件を一覧表示する画面である。お気に入り画面Ｒ５０は、履歴一覧画面Ｒ２０とほぼ同じ画面であるが、図１２（ｂ）に破線枠ｎ１で囲んで示すように、指定欄Ｈ２１に記されている登録名が利用者により指定された登録名（ざっと１枚コピー）となっている。この登録名により、処理条件の内容がどのようなものであるかを、利用者が把握しやすくなる。
【００５０】
制御部１１は、履歴一覧画面に含まれる送信履歴毎に、処理条件の登録処理を行いうる。図４に示す構成の登録条件ＤＢ１５２が記憶部１５に記憶されている場合には、制御部１１は、図１３に示すお気に入り画面Ｒ５１を表示部１４に表示させる。お気に入り画面Ｒ５１では、計４つの処理条件の各々に対応する指定欄Ｈ２１からＨ２４が表示されている。指定欄Ｈ２１からＨ２４の各々に対応する処理条件は、それぞれ異なるから、オブジェクト画像Ｏｂ１からＯｂ４が互いに異なる画像となっている。また、各処理条件の登録名は、破線ｎ１からｎ４で囲んで示した名称となっており、各々、利用者が処理条件の内容を把握しやすい名称に設定されている。
ここでは、制御部１１は、情報処理の指示データの送信履歴に基づいて登録条件ＤＢ１５２へ処理条件を登録していたが、図５（ａ）に示す操作画面Ｒ１でソフトボタンＢ１が選択された場合にも、登録条件ＤＢ１５２に処理条件を登録してよい。すなわち、制御部１１は、利用者により直接に指定された処理パラメータを含む処理条件を登録する登録処理を行う機能を有する。
【００５１】
図１４は、この実施形態のオブジェクト画像と処理パラメータとの関係を説明するである。本実施形態の端末装置１０は、処理条件に含まれる処理パラメータに従って、図１４に示すオブジェクト画像を、履歴一覧画面やお気に入り画面で表示させる。図１４に示すように、第１行から第１２行に示す処理条件は互いに異なり、且つ、オブジェクト画像も互いに異なっている。すなわち、処理条件に含まれる処理パラメータに応じてオブジェクトが異なり、異なる処理条件で同じオブジェクト画像が使用されることはない。本実施形態のオブジェクト画像は、処理パラメータに基づいて所定の規則に従って構成されている。図１４では、２つのオブジェクト画像を示している場合があるが、まとめて１枚の処理パラメータが２ｕｐの場合に、原稿が縦原稿であるときには左側、横原稿であるときには右側に示すオブジェクト画像が使用される。
【００５２】
図１５は、オブジェクト画像を構成する表示要素を説明する図である。
図１５（ａ）に示すように、本実施形態のオブジェクト画像は、原稿を模した表示要素ｅ１ａ，ｅ１ｂ又はｅ１ｃのいずれかを含んでいる。表示要素ｅ１ａは、処理パラメータとしてまとめて１枚が「しない」とされた場合に使用される。表示要素ｅ１ｂは、まとめて１枚が「２ｕｐ・縦原稿」とされた場合に使用される。表示要素ｅ１ｃは、まとめて１枚が「２ｕｐ・横原稿」とされた場合に使用される。以下では、表示要素ｅ１ａ，ｅ１ｂ及びｅ１ｃの各々を特に区別しない場合には、これらの表示要素を「ｅ１」と総称する。表示要素ｅ１は、まとめて１枚についての処理パラメータを象徴する表示要素である。まとめて１枚のその他の処理パラメータについては説明を省略するが、処理パラメータ毎に異なる表示要素が関連付けられている。
【００５３】
図１５（ｂ）に示すように、カラーモードの処理パラメータによってオブジェクト画像の色が変化させられる。図１５（ｂ）に示すように、カラーモードが「フルカラー」に設定されている場合には、オブジェクト画像が多色で表される。カラーモードが「白黒」に設定されている場合には、オブジェクト画像がグレースケールで表される。カラーモードが「自動」に設定されている場合には、オブジェクト画像の上半分が多色で現され、下半分がグレースケールで表される。すなわち、オブジェクト画像に使用される色は、「カラーモード」についての処理パラメータを象徴する表示要素である。カラーモードが「白黒」及び「自動」において、２ｕｐ時の数字の部分を多色で表し、それ以外の部分を白黒で表す等してもよい。
【００５４】
図１５（ｃ）に示すように、両面／片面選択の処理パラメータによって、表示要素ｅ２の有無が異なっている。図１５（ｃ）に示すように、両面／片面選択が「片面⇒両面」に設定されている場合には、表示要素ｅ１の右側の一部に、表示要素ｅ２が付加されている。図１４の第１行や第３行を見ても分かるように、「片面⇒片面」の場合には原稿の表面（おもてめん）を表示した表示要素ｅ１が採用され、「片面⇒両面」の場合には、表示要素ｅ１に、原稿の裏面を表示した表示要素ｅ２が付加されている。すなわち、表示要素ｅ２は、両面／片面選択についての処理パラメータを象徴する表示要素である。両面／片面選択のその他の処理パラメータについては説明を省略するが、処理パラメータ毎に異なる表示要素が関連付けられている。
【００５５】
図１５（ｄ）に示すように、ステープルの処理パラメータによって、表示要素ｅ３の有無が異なっている。図１５（ｄ）に示すように、ステープルが「する」に設定されている場合には、表示要素ｅ１の左上部分に、表示要素ｅ３が付加されている。図１４の第１行や第１０行を見ても分かるように、ステープルが「しない」の場合には原稿の表面を表示した表示要素ｅ１が採用され、「する」の場合には、表示要素ｅ１にステープルを模した表示要素ｅ３が付加されている。すなわち、表示要素ｅ３は、ステープルについての処理パラメータを象徴する表示要素である。
以上のとおり、本実施形態のオブジェクト画像は、各処理パラメータに一意に関連付けられた表示要素を組み合わせて構成されるから、処理条件毎に、オブジェクト画像が異なる。
なお、用紙選択の処理パラメータと表示要素との関係については説明を省略するが、処理パラメータ毎に異なる表示要素が関連付けられている。
【００５６】
図１６は、端末装置１０がお気に入り画面を介して、コピー処理の実行を画像形成装置２０に指示する場合の情報処理システム１での処理の流れを示すシーケンス図である。以下の動作の開始時において、登録条件ＤＢ１５２は図４に示す構成であるものとする。
まず、端末装置１０の制御部１１は、例えば利用者の操作に従って、登録条件ＤＢ１５２を参照して、お気に入り画面を表示部１４に表示させる（ステップＳＣ１）。ここでは、制御部１１は、登録条件ＤＢ１５２に含まれる処理条件毎に、処理パラメータに一意に関連付けられたオブジェクト画像を表示するように、図１３に示すお気に入り画面Ｒ５１を表示させる。次に、制御部１１は、お気に入り画面のオブジェクト画像を選択する操作を受け付ける（ステップＳＣ２）。制御部１１は、オブジェクト画像の選択操作を受け付けると、問合せ処理を実行する（ステップＳＣ３）。ここでの問合せ処理は、ステップＳＡ２と同じ処理でよく、その具体的な処理手順は、図８を用いて説明したとおりである。
【００５７】
問合せ処理後、情報処理を実行する場合には、制御部１１は、ステップＳＣ３の処理で選択操作を受け付けたオブジェクトに対応する処理条件の複数の処理パラメータを、登録条件ＤＢ１５２に基づいて特定し、特定した処理条件で情報処理を実行するように、指示データを画像形成装置２０へ送信する（ステップＳＣ４）。指示データは、例えば処理条件の登録名等の他の情報を含んでいてもよい。例えば、処理条件の登録名は、画像形成装置２０が記憶する情報処理の実行履歴に含められてもよい。
【００５８】
画像形成装置２０の制御部２１は、通信部２３により指示データを受信すると（ステップＳＣ５）、受信した指示データに基づいて、実行が指示された情報処理を実行する（ステップＳＣ６）。
以上コピー処理を例に挙げて情報処理システム１の動作を説明したが、スキャン処理やファクシミリ送信処理の場合であっても、処理条件に含まれる処理パラメータが異なるだけで、上記手順で処理条件の登録及び利用が行われてよい。
【００５９】
以上説明した実施形態の情報処理システム１では、端末装置１０は、利用者が一度直接に指定した複数の処理パラメータを含む処理条件を登録しておき、以後、各処理条件に含まれる複数の処理パラメータに一意に関連付けられたオブジェクト画像の選択操作によって、処理条件を指定する操作を受ける。この際に、端末装置１０は、各処理パラメータを利用者が視覚的に把握しやすいように、各処理パラメ−タに対応した表示要素を組み合わせたオブジェクト画像を表示させる。これにより、利用者にとっては、例えば詳細な処理パラメータを確認しなくとも、オブジェクト画像から処理条件を知る場合がある。また、オブジェクト画像は、処理パラメータ毎に異なる表示要素が図１５で説明した規則によって配置されて構成される。よって、利用者にとっては、オブジェクト画像に含まれる表示要素が、処理条件を把握する際の助けとなる。
また、端末装置１０は問合せ処理を行うことにより、利用者が別の場所に居るにも関わらず、前回と同じ画像形成装置２０に指示データを送信させようとしていることを利用者に知らせる。
【００６０】
本発明は、上述した実施形態と異なる形態で実施してもよい。また、以下に示す変形例は、各々を組み合わせてもよい。
お気に入り画面の表示形式は、図１３に示すような指定欄を上から下方向に配置する表示形式に限られない。例えば、端末装置１０は、図１７に示すお気に入り画面Ｒ６０を表示させるとともに、オブジェクト画像に対する選択操作の方法によって実行する処理を異ならせてもよい。
【００６１】
図１７は、お気に入り画面Ｒ６０を示す図である。図１７（ａ）に示すお気に入り画面Ｒ６０は、登録条件ＤＢ１５２が図４に示す構成のときに表示される。図１７（ａ）に示すように、この変形例では、各処理条件に対応するオブジェクト画像Ｏｂ１からＯｂ４が、図１３の例よりも大きく表示されているとともに、各オブジェクト画像の下部に登録名が表示されている。利用者は、処理条件を指定して情報処理の実行を指示する際には、それに対応するオブジェクト画像に指を触れさせる、いわゆるタップ操作を行う。端末装置１０は、このタップ操作をステップＳＣ２の操作として受け付ける。以降の情報処理システム１の動作は、図１６を用いて説明したとおりである。
【００６２】
また、この変形例の端末装置１０の制御部１１は、図１７（ｂ）に示すように、利用者がオブジェクト画像（ここではＯｂ１）に指Ｆを触れさせたまま、下方向（矢印ａ１方向）に移動させる操作（いわゆるスワイプ操作）を行った場合に、矢印ａ２で示すように、オブジェクト画像Ｏｂ１を下方向に移動させた後、上方向に移動させて元の位置に戻す。そして、制御部１１は、図１７（ｃ）に示すように、選択されたオブジェクト画像に関連付けてメニューリストＭｅを表示させる。メニューリストＭｅは、「スタート」と記された選択肢Ｂ２１と、「簡易確認」と記された選択肢Ｂ２２と、「詳細確認」と記された選択肢Ｂ２３とを含む。メニューリストＭｅは、オブジェクト画像に対応する処理条件を用いた処理の種類の選択肢を含む。
【００６３】
図１８は、メニューリストＭｅの各選択肢と実行される処理との関係を説明する図である。図１８に示すように、選択肢Ｂ２１が選択された場合、制御部１１は、実行画面Ｒ６１に遷移させるとともに、オブジェクト画像に対応する処理条件で情報処理を実行する指示データを、直ちに、画像形成装置２０へ送信する（すなわち、ステップＳＣ４に相当する処理を実行する。）。実行画面Ｒ６１は、情報処理の実行が開始された旨や、指示データで指示された処理条件が記された画面である。
【００６４】
選択肢Ｂ２２が選択された場合（第１操作）、制御部１１は、オブジェクト画像に対応する処理条件の確認画面Ｒ６２を表示させる。確認画面Ｒ６２は、お気に入り画面Ｒ６０に、ダイアログボックスＤ２を重畳させた画面である。ダイアログボックスＤ２は、指示データを送信しようとしている旨と処理条件とを示すメッセージと、「スタート」と記されたソフトボタンＢ２４と、「キャンセル」と記されたソフトボタンＢ２５とを含む。利用者は処理条件等を確認して、情報処理の実行を開始する場合にはソフトボタンＢ２４を選択し、情報処理の実行をキャンセルする場合にはソフトボタンＢ２５を選択する。ソフトボタンＢ２４が選択された場合、制御部１１は、情報処理を実行する指示データを、直ちに、画像形成装置２０へ送信する。ソフトボタンＢ２５が選択された場合、制御部１１は、情報処理の実行をキャンセルして、例えば、図１７（ａ）に示すお気に入り画面Ｒ６０の表示に戻す。
【００６５】
選択肢Ｂ２３が選択された場合（第２操作）、制御部１１は、オブジェクト画像に対応する処理条件の変更画面Ｒ６３を表示させる。変更画面Ｒ６３は、オブジェクト画像に対応する処理条件の変更を受け付けるための画面であり、図５に示す操作画面Ｒ１と同じである。制御部１１は、変更画面Ｒ６３の表示中に処理条件の変更を受け付け、ソフトボタンＢ２が選択されると、その変更後の処理条件での情報処理の実行を指示する指示データを送信する。
ここではメニューリストＭｅをスワイプ操作が行われたときに表示していたが、端末装置１０は、例えば、オブジェクト画像が連続してタップされた場合（例えば２回連続押し）や、長押しされた場合（例えば３秒間連続押し）等の予め定められた操作を受け付けた場合に、メニューリストＭｅを表示してもよい。
なお、この変形例においても、制御部１１は、指示データの送信前に問合せ処理を実行してもよい。
【００６６】
また、図１９に示すように、端末装置１０は、メニューリストＭｅ以外の表示形式で、利用者に処理条件を指定させるための画面を表示してもよい。図１９（ａ）に示すように、制御部１１は、メニューリストＭｅに代えてオブジェクト画像を表示させてもよい。図１９（ａ）の例では、オブジェクト画像Ｏｂ１に関連付けて、オブジェクト画像Ｏｂ１１からＯｂ１３が表示されている。オブジェクト画像Ｏｂ１１，Ｏｂ１２，Ｏｂ１３が選択されたときの端末装置１０の動作は、それぞれ、メニューリストＭｅの選択肢Ｂ２１，Ｂ２２，Ｂ２３が選択されたときと同じでよい。この場合、オブジェクト画像Ｏｂ１１からＯｂ１３は、選択されたときに端末装置１０が実行される処理を利用者が把握しやすい画像であることが望ましい。
【００６７】
また、制御部１１は、メニューリストＭｅに代えて、図１９（ｂ）に示すようにポップアップウィンドウＰを表示させてもよい。図１９（ｂ）の例では、オブジェクト画像Ｏｂ１に関連付けて、選択肢Ｂ３１，Ｂ３２，Ｂ３３が表示されている。選択肢Ｂ３１，Ｂ３２，Ｂ３３が選択されたときの端末装置１０の動作は、それぞれ、メニューリストＭｅの選択肢Ｂ２１，Ｂ２２，Ｂ２３が選択されたときと同じでよい。
すなわち、上述した実施形態で説明した端末装置１０で表示される各種画面や画面を用いて利用者が行う操作はあくまで一例であり、画面の意匠や画面を用いて利用者が行うべき操作の方法は実施形態で説明した例に限定されない。
【００６８】
また、オブジェクトの選択操作によって実行される処理として、更に別の処理があってもよい。例えば、コピー処理後の画像のプレビュー画面の表示が含まれていてもよいし、画像データを送信して画像形成処理を行う場合には、その画像データの属性情報（例えば作成日時）が表示されてもよい。
【００６９】
上述した実施形態の端末装置１０では、登録条件ＤＢ１５２において、処理パラメータと登録名とを対応付けていたが、更に、指示データの送信先の画像形成装置２０の宛先情報を対応付けてもよい。
図２０は、この変形例の登録条件ＤＢ１５２の構成を示す図である。登録条件ＤＢ１５２に格納される送信先アドレスは、指示データの送信先となった画像形成装置２０に割り当てられたＩＰアドレスである。
この構成の下、端末装置１０は、登録条件ＤＢ１５２に格納された送信先アドレスを用いて、その送信先アドレスに対応付けられた処理条件を指示する指示データを、画像形成装置２０に宛てて送信出力する。
【００７０】
この変形例の端末装置１０では、使用する画像形成装置２０毎に処理条件を分けて登録するから、例えば、画像形成装置２０に応じて処理条件の設定を異ならせる場合に適している。例えば、利用者が普段居るオフィスでは、カラーモードを常にフルカラーにするが、出張先のオフィスでは、トナーの使用を節約するためにカラーモードを常に白黒にする、といった利用が考えられる。
この変形例において、登録条件ＤＢ１５２には、端末装置１０のＩＰアドレス以外の宛先情報が、処理条件に対応付けて登録されてもよい。
【００７１】
端末装置１０は、オブジェクト画像を、少なくとも処理条件に含まれる複数の処理パラメータの組み合わせ毎に異ならせて表示すればよい。すなわち、端末装置１０は、各処理パラメータに一意に関連付けられた表示要素を組み合わせたオブジェクト画像以外のオブジェクト画像を表示してもよい。
【００７２】
上述した実施形態の端末装置１０は、前回の情報処理の指示時と今回の情報処理の指示時とのＳＳＩＤやＩＰアドレスを比較する問合せ処理を行っていたが、例えば、登録条件ＤＢ１５２に格納された処理条件毎に、ＳＳＩＤ１５３及びＩＰアドレス１５４を使い分けてもよい。また、端末装置１０は、問合せ処理においてＳＳＩＤ１５３及びＩＰアドレス１５４の一方のみを用いてもよいし、問合せ処理を実行しないようにしてもよい。
【００７３】
端末装置１０は、処理条件を登録条件ＤＢ１５２に登録する登録処理を行わなくてもよい。端末装置１０は、例えば、履歴一覧画面（図１１（ｂ）参照）に配置されたオブジェクト画像を含む指定欄を選択する操作を受け付けると、このオブジェクト画像に対応する処理条件で情報処理を実行するための指示データを、画像形成装置２０へ送信してもよい。
また、上述した実施形態において、指示データの送信履歴としていた部分の構成は、指示データに基づく情報処理の実行履歴に置き換えられてもよい。この場合、端末装置１０は、指示データを送信した後、画像形成装置２０から指示データに基づく情報処理の実行の成否の通知を受け付ける。そして、端末装置１０は、成功した情報処理に用いられた指示データの処理条件を、履歴一覧画面にて表示してもよい。
【００７４】
上述した実施形態で説明した処理パラメータはあくまで一例である。例えば、画像読取部２５での画像の読み取りの解像度や生成する画像データのファイル形式、画像形成部２６が形成する画像の濃度等の画質に関する処理パラメータが含まれてもよいし、記録媒体にパンチ穴を形成する処理、記録媒体の積み重ねや並び替えを行う処理等の後処理に関する処理パラメータ等が含まれていてもよい。
【００７５】
上述した実施形態では、本発明の情報処理装置を画像形成装置２０に適用した場合を説明したが、本発明の情報処理装置は、画像を形成する機能を有していなくてもよい。本発明の情報処理装置は、自装置が直接に操作された指示された情報処理を実行するとともに、端末装置を操作して指示された情報処理を実行する装置であればよく、具体的な情報処理は特に問わない。よって、本発明の情報処理装置は、例えば、パーソナルコンピュータ等の情報処理装置であってもよい。
【００７６】
上述した実施形態では、本発明の指示装置を端末装置１０に適用した場合を説明したが、画像形成装置２０に適用してもよい。この場合、画像形成装置２０の制御部２１は、利用者により直接に指定された処理条件を、記憶部２７に記憶した登録条件ＤＢに登録するとよい。この登録条件ＤＢは、前述した登録条件ＤＢ１５２と同じ構成でよい。この場合、画像形成装置２０の制御部２１は、記憶部２７に記憶した登録条件ＤＢに基づいて、処理条件に関連付けたオブジェクト画像を表示させる。そして、制御部２１は、利用者により指示されたオブジェクト画像に対応する処理条件で情報処理を実行するように、画像形成装置２０の各部に、情報処理を行わせるための指示データを出力するとよい。すなわち、本発明は、遠隔操作により情報処理の実行を指示する構成を備えていなくてもよい。
【００７７】
通信回線１００は、無線ＬＡＮやＷｉ−Ｆｉネットワーク以外の通信路を含む通信回線であってもよく、無線、有線又は無線及び有線を組み合わせた通信回線のいずれであってもよい。
上述した実施形態の端末装置１０や画像形成装置２０が実現する各機能は、１又は複数のハードウェア回路により実現されてもよいし、１又は複数のプログラムを演算装置が実行することにより実現されてよいし、これらの組み合わせにより実現されてもよい。
【符号の説明】
【００７８】
１…情報処理システム、１０…端末装置、１１…制御部、１１１…受付手段、１１２…記憶制御手段、１１３…表示制御手段、１１４…指示手段、１１５…取得手段、１１６…問合せ手段、１２…操作部、１３…通信部、１４…表示部、１５…記憶部、１５１…操作用アプリ、１５２…登録条件ＤＢ、１５３…ＳＳＩＤ、１５４…ＩＰアドレス、２０…画像形成装置、２０１…受信手段、２０２…実行手段、２１…制御部、２２…操作部、２３…通信部、２４…表示部、２５…画像読取部、２６…画像形成部、２７…記憶部、１００…通信回線。
【要約】
【課題】情報処理の処理条件を指定する際の利用者の操作負担を軽減する。
【解決手段】端末装置は、一度指定された情報処理の処理条件を登録する機能を有する。処理条件は、コピー処理であれば、カラーモードや画像を形成するシート面（片面／両面）、Ｎアップ、ステープル等の複数の処理パラメータを含む。端末装置は、登録しておいた処理条件の一覧を表示する場合に、処理条件毎に、各処理条件に一意に関連付けられたオブジェクト画像Ｏｂ１からＯｂ４を表示する。端末装置は、オブジェクト画像を選択する操作を受け付けると、そのオブジェクト画像に対応する処理条件に基づいて、情報処理の実行を指示する指示データを出力する。オブジェクト画像Ｏｂ１からＯｂ４は、複数の処理パラメータの各処理パラメータに一意に関連付けられた表示要素を組み合わせ画像であり、利用者は、オブジェクト画像から視覚的に処理条件を把握しやすい。
【選択図】図１３【図１】
0005585683.tif 000002
【図２】
0005585683.tif 000003
【図３】
0005585683.tif 000004
【図４】
0005585683.tif 000005
【図５】
0005585683.tif 000006
【図６】
0005585683.tif 000007
【図７】
0005585683.tif 000008
【図８】
0005585683.tif 000009
【図９】
0005585683.tif 000010
【図１０】
0005585683.tif 000011
【図１６】
0005585683.tif 000012
【図２０】
0005585683.tif 000013
【図１１】
0005585683.tif 000014
【図１２】
0005585683.tif 000015
【図１３】
0005585683.tif 000016
【図１４】
0005585683.tif 000017
【図１５】
0005585683.tif 000018
【図１７】
0005585683.tif 000019
【図１８】
0005585683.tif 000020
【図１９】
0005585683.tif 000021